【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
Ａ）不飽和ポリマー、および
Ｂ）フリーラジカル発生剤
を含んでいるポリマー組成物において、
該フリーラジカル発生剤が、式（I）
2010532804.tif 000001
の化合物であって、
式（I）において、
Ｒ１およびＲ１'がそれぞれ独立に、Ｈ、置換もしくは非置換の、飽和もしくは部分的に不飽和のヒドロカルビル；または置換もしくは非置換の芳香族ヒドロカルビルであり、
Ｒ１およびＲ１'において、当該置換もしくは非置換の、飽和もしくは部分的に不飽和のヒドロカルビルまたは芳香族ヒドロカルビルのそれぞれが、任意的に１以上のヘテロ原子を含んでいてもよく、
かつ
Ｒ１およびＲ１'において、当該飽和もしくは部分的に不飽和の置換ヒドロカルビルまたは置換芳香族ヒドロカルビルが、官能基、または任意的に官能基を有していてもよい飽和もしくは部分的に不飽和のヒドロカルビル；または任意的に官能基を有していてもよい芳香族ヒドロカルビルから選択された１〜４の置換基を独立に含んでおり、
Ｒ２、Ｒ２'、Ｒ３およびＲ３'がそれぞれ独立に、Ｈ、置換もしくは非置換の、飽和もしくは部分的に不飽和のヒドロカルビル；または置換もしくは非置換の芳香族ヒドロカルビルであり、
Ｒ２、Ｒ２'、Ｒ３およびＲ３'において、当該置換もしくは非置換の、飽和もしくは部分的に不飽和のヒドロカルビルまたは芳香族ヒドロカルビルのそれぞれが、任意的に１以上のヘテロ原子を含んでいてもよく、かつ
Ｒ２、Ｒ２'、Ｒ３およびＲ３'において、当該飽和もしくは部分的に不飽和の置換ヒドロカルビルまたは置換芳香族ヒドロカルビルが、官能基、任意的に官能基を有していてもよい飽和もしくは部分的に不飽和のヒドロカルビル；または任意的に官能基を有していてもよい芳香族ヒドロカルビルから選択された１〜４の置換基を独立に含んでおり、または
Ｒ２およびＲ３が、該Ｒ２およびＲ３が結合されている炭素原子（Ｃ１）と一緒に、非置換もしくは置換の、飽和もしくは部分的に不飽和の３〜１４のＣ原子の炭素環部分；Ｏ、Ｎ、Ｐ、ＳもしくはＳｉから選択された１〜６のヘテロ原子を含んでいる、非置換もしくは置換の、飽和もしくは部分的に不飽和の３〜１４の環原子のヘテロ環部分；または任意的に１〜４のヘテロ原子を含んでいてもよい、非置換もしくは置換の３〜１４のＣ原子の芳香族環部分を形成し、
Ｒ２およびＲ３において、当該炭素環、ヘテロ環または芳香族環の系が、４〜１４の環原子を有する他の環系と任意的に縮合されていてもよく、かつ
Ｒ２およびＲ３において、当該置換された、炭素環、ヘテロ環または芳香族環の系が、官能基、または任意的に官能基を有していてもよい飽和もしくは部分的に不飽和のヒドロカルビル；または任意的に官能基を有していてもよい芳香族ヒドロカルビルから独立に選択された１〜４の置換基を含んでおり、または
Ｒ２'およびＲ３'が、これらが結合されている炭素原子（Ｃ１'）と一緒に、非置換もしくは置換の、飽和もしくは部分的に不飽和の３〜１４のＣ原子の炭素環部分；Ｏ、Ｎ、Ｐ、ＳもしくはＳｉから選択された１〜６のヘテロ原子を含んでいる、非置換もしくは置換の、飽和もしくは部分的に不飽和の３〜１４の環原子のヘテロ環部分；または任意的に１〜４のヘテロ原子を含んでいてもよい、非置換もしくは置換の３〜１４のＣ原子の芳香族環部分を形成し、
Ｒ２'およびＲ３'において、当該炭素環、ヘテロ環または芳香族環の系が、４〜１４の環原子を有する他の環系と任意的に縮合されていてもよく、かつ
Ｒ２'およびＲ３'において、当該置換された、炭素環、ヘテロ環または芳香族環の系が、官能基、または任意的に官能基を有していてもよい飽和もしくは部分的に不飽和のヒドロカルビル；または任意的に官能基を有していてもよい芳香族ヒドロカルビルから独立に選択された１〜４の置換基を含んでおり、または
Ｒ２およびＲ２'が一緒に、任意的に１〜４のヘテロ原子を有していてもよい、二価の置換もしくは非置換の、飽和もしくは部分的に不飽和のヒドロカルビルを形成し、ここでＲ２はＣ１に、Ｒ２'はＣ１'にそれぞれ結合されて、−Ｃ１−Ｏ−Ｏ−Ｃ１'−と一緒に、置換もしくは非置換の、飽和もしくは部分的に不飽和の３〜１４のＣ原子の炭素環部分を形成し、当該環部分は当該少なくとも２のＯ原子に加えて任意的に１〜４のさらなるヘテロ原子を含んでいてもよく；ここで当該炭素環またはヘテロ環の系は４〜１４の環原子を有する他の環系と任意的に縮合されていてもよい、
化合物、または該化合物の官能性誘導体であり、
但し、Ｒ１、Ｒ２およびＲ３のうちの少なくとも２、ならびにＲ１'、Ｒ２'およびＲ３'のうちの少なくとも２はそれぞれ、Ｈおよびメチル以外のものであるところの、
上記のポリマー組成物。
【請求項２】
Ａ）不飽和ポリマー、および
Ｂ）フリーラジカル発生剤
を含んでいるポリマー組成物であって、
該ポリマー組成物および／または該不飽和ポリマーが少なくとも０．０５の炭素−炭素二重結合／１０００炭素原子の量において炭素−炭素二重結合を有し、かつ
該フリーラジカル発生剤が請求項１に従う式（I）の化合物である、
請求項１に従うポリマー組成物。
【請求項３】
Ｒ２およびＲ３が、該Ｒ２およびＲ３が結合されている炭素原子（Ｃ１）と一緒に、任意的に置換されていてもよい３〜１２の環Ｃ原子の炭素環部分、またはＯ、Ｎ、Ｐ、ＳもしくはＳｉから選択された１〜６のヘテロ原子を有する、任意的に置換されていてもよい３〜１２の環原子のヘテロ環部分を形成し、かつ、当該炭素環式またはヘテロ環式の環系が、４〜１４の環原子を有する他の環系と任意的に縮合されていてもよく、且つ
Ｒ２'およびＲ３'が、該Ｒ２'およびＲ３'が結合されている炭素原子（Ｃ１'）と一緒に、任意的に置換されていてもよい３〜１２の環Ｃ原子の炭素環部分、またはＯ、Ｎ、Ｐ、ＳもしくはＳｉから選択された１〜６のヘテロ原子を有する、任意的に置換されていてもよい３〜１２の環原子のヘテロ環部分を形成し、かつ、当該炭素環式またはヘテロ環式の環系が、４〜１４の環原子を有する他の環系と任意的に縮合されていてもよい、
請求項１又は２に従う式（I）の化合物。
【請求項４】
Ｒ２'およびＲ３'ならびに該Ｒ２'およびＲ３'が結合されている炭素原子（Ｃ１'）によって形成された環系が、Ｒ２およびＲ３ならびに該Ｒ２およびＲ３が結合されている炭素原子（Ｃ１）によって形成された環系と同じであり、かつ
Ｒ１およびＲ１'がそれぞれ、任意的に置換されていてもよい、分枝鎖もしくは直鎖の（Ｃ２〜Ｃ３０の）アルキルまたはメチルを表す、
請求項１〜３のいずれか１項に従う式（I）の化合物。
【請求項５】
Ｒ１、Ｒ２、Ｒ３、Ｒ１'、Ｒ２'およびＲ３'がそれぞれ独立に、任意的に置換されていてもよい単環式もしくは多環式の（Ｃ５〜Ｃ１４の）アリール；任意的に置換されていてもよい単環式もしくは多環式の（Ｃ５〜Ｃ１４の）ヘテロアリール；任意的に置換されていてもよい単環式もしくは多環式の（Ｃ４〜Ｃ１４の）シクロアルキル；任意的に置換されていてもよい単環式もしくは多環式の（Ｃ４〜Ｃ１４の）ヘテロシクリル；任意的に置換されていてもよい直鎖もしくは分枝鎖の（Ｃ１〜Ｃ５０の）アルキル；任意的に置換されていてもよい直鎖もしくは分枝鎖の（Ｃ１〜Ｃ５０の）アルケニル、または任意的に置換されていてもよい直鎖もしくは分枝鎖の（Ｃ１〜Ｃ５０の）アルキニル；Ｏ、Ｎ、Ｐ、ＳもしくはＳｉから選択された１〜４のヘテロ原子を含んでいる、任意的に置換されていてもよい直鎖もしくは分枝鎖の（Ｃ１〜Ｃ５０の）ヘテロアルキルである、
請求項１〜４のいずれか１項に従う式（I）の化合物。
【請求項６】
Ｒ２およびＲ２'が同じであり、それぞれメチルを表し、または
Ｒ２およびＲ２'が同じであり、それぞれ（Ｃ６〜Ｃ３０の）アルキルを表し、かつ／または、
Ｒ３およびＲ３'が同じであり、それぞれ（Ｃ６〜Ｃ３０の）アルキルを表す、
請求項５に従う式（I）の化合物。
【請求項７】
Ｒ１およびＲ１'が同じまたは異なっており、それぞれ、任意的にＮ、Ｏ、P、ＳもしくはＳｉから選択された１〜４のヘテロ環原子を有していてもよい、任意的に置換されていてもよい、飽和もしくは部分的に不飽和の５〜１４の環原子の環式ヒドロカルビル；もしくは任意的に置換されていてもよい単環式もしくは多環式の（Ｃ５〜Ｃ１４の）アリールを表す、または
Ｒ１およびＲ１'が同じまたは異なっており、それぞれ、任意的に置換されていてもよい、分枝鎖もしくは直鎖の（Ｃ６〜Ｃ３０の）アルキルもしくはメチルを表す、
請求項１〜６のいずれか１項に従う式（I）の化合物。
【請求項８】
Ｒ１およびＲ１'が同じであり、それぞれメチルを表し、かつ
Ｒ２およびＲ３が、該Ｒ２およびＲ３が結合されているＣ１原子と一緒に、任意的に置換されていてもよい、飽和もしくは部分的に不飽和の単環式もしくは二環式の（Ｃ４〜Ｃ１４の）炭素環を形成し、
かつ、Ｒ２'およびＲ３'が、該Ｒ２'およびＲ３'が結合されている炭素原子（Ｃ１'）と一緒に、任意的に置換されていてもよい、飽和もしくは部分的に不飽和の単環式もしくは二環式の（Ｃ４〜Ｃ１４の）炭素環を形成している、
請求項１〜７のいずれか１項に従う式（I）の化合物。
【請求項９】
式（II）
2010532804.tif 000002
（該式で、ｎは０〜３であり、Ｒ４およびＲ４'はそれぞれ独立に、１〜３０の炭素原子を有する直鎖アルキル基を表し、かつ該式で、１のまたは双方の環系は独立に、非置換もしくは１〜４の置換基によって任意的に置換されていてもよい。）
の、請求項８に従う化合物。
【請求項１０】
Ｒ１およびＲ１'が同じであり、任意的に置換されていてもよい単環式の（Ｃ５〜Ｃ７の）アリールを表し、
Ｒ２およびＲ２'が同じであり、双方ともメチルであり、かつ
Ｒ３およびＲ３'が同じであり、双方とも、任意的に置換されていてもよい、分枝鎖または直鎖の（Ｃ６〜Ｃ５０の）アルキルである、
請求項４〜９のいずれか１項に従う化合物。
【請求項１１】
式（III）
2010532804.tif 000003
（該式で、ＡｒおよびＡｒ'が独立に、１〜４の置換基によって任意的に置換されていてもよい、フェニル、ベンジルまたはナフチル基を表し、
Ｒ４およびＲ４'のそれぞれがメチルであり、かつ、
Ｒ５およびＲ５'のそれぞれが独立に、Ｃ６〜３０の炭素原子を有する直鎖アルキル基を表す。）
の、請求項１０に従う化合物。
【請求項１２】
当該任意的な置換基が、−ＯＨ、−ＮＲ２（該式で各Ｒは独立に、Ｈまたは（Ｃ１〜Ｃ１２の）アルキルである。）、ＣＯＲ''（該式でＲ''は、Ｈ、（Ｃ１〜Ｃ１２の）アルキルまたは−ＮＲ２であり、該−ＮＲ２の式で各Ｒは上記の−ＮＲ２について定義された通りである。）、ＣＯＯＲ''（該式でＲは−ＣＯＲ''について定義された通りである。）、ハロゲン、もしくはアルコキシ、任意的に官能基を有していてもよい飽和もしくは部分的に不飽和のヒドロカルビル、または任意的に官能基を有していてもよい芳香族ヒドロカルビルからそれぞれ独立に選択された、請求項１〜１１のいずれか１項に従う式（I）の化合物。
【請求項１３】
式（Ｖ）
2010532804.tif 000004
（該式において、
（i）  Ｒ１およびＲ１'がそれぞれ独立に、Ｈ、置換または非置換の、飽和または部分的に不飽和のヒドロカルビルであり、
Ｒ１およびＲ１'において、当該置換または非置換の、飽和または部分的に不飽和のヒドロカルビルのそれぞれが、１以上のヘテロ原子を任意的に含んでいてもよく、
Ｒ１およびＲ１'において、当該置換または非置換の、飽和または部分的に不飽和のヒドロカルビルが、（i）直鎖または分枝鎖の、飽和または部分的に不飽和のヒドロカルビル、（ii）飽和または部分的に不飽和の環式ヒドロカルビルを有する、直鎖または分枝鎖の、飽和または部分的に不飽和のヒドロカルビル、および（iii）飽和または部分的に不飽和の環式ヒドロカルビルを包含し、
Ｒ１およびＲ１'において、当該飽和または部分的に不飽和の環式ヒドロカルビルのそれぞれが独立に、単環式または多環式の環系であり、かつ
Ｒ１およびＲ１'において、当該置換された、飽和または部分的に不飽和のヒドロカルビルが、官能基、任意的に官能基を有していてもよい飽和もしくは部分的に不飽和のヒドロカルビル、または任意的に官能基を有していてもよい芳香族ヒドロカルビルから選択された１〜４の置換基を独立に含んでおり、かつ
Ｒ２、Ｒ２'、Ｒ３およびＲ３'がそれぞれ独立に、Ｒ１およびＲ１'について上で定義された通りであり、
または
（ii）  Ｒ１およびＲ１'がそれぞれ独立に、任意的に置換されていてもよい単環式の（Ｃ５〜Ｃ７の）アリールであり、
Ｒ１およびＲ１'において、当該置換された単環式の（Ｃ５〜Ｃ７の）アリールが、官能基、任意的に官能基を有していてもよい飽和もしくは部分的に不飽和のヒドロカルビル、または任意的に官能基を有していてもよい芳香族ヒドロカルビルから選択された１〜４の置換基を独立に含んでおり、かつ
Ｒ２およびＲ２'が同じであり、双方ともメチルであり、かつ
Ｒ３およびＲ３'がそれぞれ独立に、Ｈ、Ｒ１およびＲ１'について上記の（i）の下に定義された、置換または非置換の、飽和または部分的に不飽和のヒドロカルビルであり、または
（iii）
Ｒ１およびＲ１'がそれぞれ独立に、Ｈ、Ｒ１およびＲ１'について上記の（i）の下で定義された、置換または非置換の、飽和または部分的に不飽和のヒドロカルビルであり、かつ
Ｒ２およびＲ３が、該Ｒ２およびＲ３が結合されている炭素原子（Ｃ１）と一緒に、非置換もしくは置換の、飽和もしくは部分的に不飽和の３〜１４のＣ原子の炭素環部分；またはＯ、Ｎ、Ｐ、ＳもしくはＳｉから選択された１〜６のヘテロ原子を含んでいる、非置換もしくは置換の、飽和もしくは部分的に不飽和の３〜１４の環原子のヘテロ環部分を形成し、
Ｒ２およびＲ３において、当該炭素環またはヘテロ環が、４〜１４の環原子を有する任意的に置換されていてもよい他の環系と任意的に縮合されていてもよく、かつ
Ｒ２およびＲ３において、当該置換された、炭素環またはヘテロ環の系が、官能基、または任意的に官能基を有していてもよい、飽和もしくは部分的に不飽和のヒドロカルビルから独立に選択された１〜４の置換基を含んでおり、かつ
Ｒ２'およびＲ３'が、該Ｒ２'およびＲ３'が結合されている炭素原子（Ｃ１'）と一緒に、非置換もしくは置換の、飽和もしくは部分的に不飽和の３〜１４のＣ原子の炭素環部分；Ｏ、Ｎ、Ｐ、ＳもしくはＳｉから選択された１〜６のヘテロ原子を含んでいる、非置換もしくは置換の、飽和もしくは部分的に不飽和の３〜１４の環原子のヘテロ環部分、を形成し、
Ｒ２'およびＲ３'において、当該炭素環またはヘテロ環の系が、４〜１４の環原子を有する任意的に置換されていてもよい他の環系と任意的に縮合されていてもよく、かつ
Ｒ２'およびＲ３'において、当該置換された、炭素環またはヘテロ環の系が、官能基、または任意的に官能基を有していてもよい飽和もしくは部分的に不飽和のヒドロカルビルから独立に選択された１〜４の置換基を含んでおり、
但し、選択肢（i）〜（iii）についての条件として、Ｒ１、Ｒ２およびＲ３のうちの少なくとも２、ならびにＲ１'、Ｒ２'およびＲ３'のうちの少なくとも２がそれぞれ、Ｈおよびメチル以外のものである。）
の請求項１に従う化合物。
【請求項１４】
ジ（１−メチルシクロペンチル）パーオキシド、
ジ−（１−メチル−１−フェニルウンデシル）パーオキシド、
ジ−（１−メチル−１−フェニルヘプチル）パーオキシド、または
ジ（１−メチル−シクロヘキシル）パーオキシド
のいずれかから選択されたものである、請求項１又は２に従う化合物。
【請求項１５】
フリーラジカル発生段階において分解生成物へと分解可能である１以上の部分を構造中に有する、請求項１〜１４のいずれか１項に記載された化合物であって、
当該１以上の分解可能な部分が、本明細書中の「ＧＣ分析手順」に記載された方法に従って測定されたときに３００（重量）ｐｐｍ未満のＣＨ４含有量をもたらす化合物、もしくは
当該分解生成物としてのＣＨ４へと分解可能である何らかの前記部分を有していない化合物、またはその任意の混合物。
【請求項１６】
不飽和ポリマーが、不飽和ＬＤＰＥホモポリマー、または１以上の多不飽和コモノマーとのＬＤＰＥコポリマーである、請求項１〜１５のいずれか１項に従うポリマー組成物。
【請求項１７】
請求項１〜１６のいずれか１項に従うポリマー組成物が、該ポリマー組成物中でラジカル反応を開始することによって架橋されているところの、変性されたポリマー組成物。
【請求項１８】
請求項１〜１６のいずれか１項に従うポリマー組成物を含んでいる１以上の層によって囲まれている導体を含んでいる、架橋性ケーブル、又は、該ポリマー組成物が、該ポリマー組成物中でラジカル反応を開始することによって架橋されているところの架橋されたケーブル。